(57)【要約】【課題】外部ミキサの前段に可変フィルタを設けることなく、外部ミキサで発生したイメージレスポンス及びマルチプルレスポンスを簡易に除去することが可能な信号解析装置及び信号解析方法を提供する。【解決手段】局部発振器１１ａへ２つの局部発振周波数掃引範囲を設定するための掃引範囲設定部２１と、２つの局部発振周波数掃引範囲を交互に切り換えて局部発振信号を掃引するための制御信号を局部発振器１１ａに出力する掃引制御部２２と、一方の掃引により得られる第１の測定データ、及び、他方の掃引により得られる第２の測定データを測定周波数に対応付けて記憶する記憶部２３と、第１の測定データに基づいて周波数範囲の有効範囲を設定するための有効範囲設定部２４と、有効範囲外の第１の測定データと有効範囲内の第２の測定データを表示部１８に表示させる不要信号除去部２５と、を備える。【選択図】図１
2015187586.tif 000002
【特許請求の範囲】
【請求項１】
局部発振信号を発生する局部発振器（１１ａ）と、被測定信号と当該局部発振信号を周波数混合して中間周波数信号に変換するミキサ（１１０）と、を備え、当該中間周波数信号を信号処理することにより、前記被測定信号の周波数成分を表示部（１８）に表示させる信号解析装置において、
前記被測定信号の周波数を含む所定の同一の測定周波数範囲を掃引測定するため、当該測定周波数範囲と前記中間周波数信号の周波数に基づいて、前記局部発振器へ２つの局部発振周波数掃引範囲を設定するための掃引範囲設定部（２１）と、
前記２つの局部発振周波数掃引範囲を交互に切り換えて前記局部発振信号を掃引するための制御信号を前記局部発振器に出力する掃引制御部（２２）と、
一方の局部発振周波数掃引範囲の掃引により得られる第１の測定データ、及び、他方の局部発振周波数掃引範囲の掃引により得られる第２の測定データを測定周波数に対応付けて記憶する記憶部（２３）と、
前記記憶部に記憶された前記第１の測定データのうち、所定の閾値以上の値の測定データが得られた測定周波数を含む周波数範囲を有効範囲として設定するための有効範囲設定部（２４）と、
前記記憶部に記憶された前記第１の測定データのうち、前記有効範囲外の測定周波数に対応付けられた測定データを前記表示部に表示させるとともに、前記記憶部に記憶された前記第２の測定データのうち、前記有効範囲内の測定周波数に対応付けられた測定データを前記表示部に表示させる不要信号除去部（２５）と、を備えることを特徴とする信号解析装置。
【請求項２】
前記掃引制御部は、前記他方の局部発振周波数掃引範囲の掃引において、前記有効範囲に対応する周波数範囲のみで前記局部発振信号を掃引するための制御信号を、前記局部発振器に出力することを特徴とする請求項１に記載の信号解析装置。
【請求項３】
請求項１または請求項２に記載の信号解析装置を用いる信号解析方法であって、
被測定信号の周波数を含む所定の同一の測定周波数範囲を掃引測定するため、当該測定周波数範囲と前記中間周波数信号の周波数に基づいて、前記局部発振器へ２つの局部発振周波数掃引範囲を設定するための掃引範囲設定段階と、
前記２つの局部発振周波数掃引範囲を交互に切り換えて前記局部発振信号を掃引するための制御信号を前記局部発振器に出力する掃引段階と、
一方の局部発振周波数掃引範囲の掃引により得られる第１の測定データ、及び、他方の局部発振周波数掃引範囲の掃引により得られる第２の測定データを測定周波数に対応付けて記憶する記憶段階と、
前記記憶部に記憶された前記第１の測定データのうち、所定の閾値以上の値の測定データが得られた測定周波数を含む周波数範囲を有効範囲として設定するための有効範囲設定段階と、
前記記憶部に記憶された前記第１の測定データのうち、前記有効範囲外の測定周波数に対応付けられた測定データを前記表示部に表示させるとともに、前記記憶部に記憶された前記第２の測定データのうち、前記有効範囲内の測定周波数に対応付けられた測定データを前記表示部に表示させる不要信号除去段階と、を含むことを特徴とする信号解析方法。
【発明の詳細な説明】
【技術分野】
【０００１】
本発明は、信号解析装置及び信号解析方法に関し、特に外部ミキサを接続可能な信号解析装置及び信号解析方法に関する。
【背景技術】
【０００２】
被測定物から出力される広帯域のＲＦ信号を被測定信号として受信し、当該被測定信号の周波数解析を行うスペクトラムアナライザなどの信号解析装置が従来から知られている。このような信号解析装置は、局部発振信号を発生する局部発振器と、被測定信号と局部発振信号を周波数混合して中間周波数信号に変換するミキサと、を備え、中間周波数信号を信号処理することにより、被測定信号の周波数成分を表示部に表示させるようになっている。
【０００３】
上記のような信号解析装置は、信号解析装置本体の動作周波数を上回る高い周波数帯域までの周波数解析を可能とするために、高調波ミキサを外部ミキサとして接続可能な構成であることが多い。つまり、外部ミキサにより被測定信号がダウンコンバートされることにより、信号解析装置本体の動作周波数内での測定を可能としている。
【０００４】
しかしながら、高調波ミキサは、本来の被測定信号の周波数以外にイメージレスポンスやマルチプルレスポンスなどの不要な周波数成分を多数発生させてしまう。
【０００５】
そこで、局部発振信号の周波数に追従して同調周波数が可変される可変フィルタ（トラッキングフィルタ）を高調波ミキサの前段に設けて、局部発振信号に対応した周波数付近の信号成分のみを高調波ミキサに入力させる構成が提案されている（例えば、特許文献１参照）。
【先行技術文献】
【特許文献】
【０００６】
【特許文献１】特許第２８３２７４９号公報
【発明の概要】
【発明が解決しようとする課題】
【０００７】
近年、被測定物の動作周波数は数十ＧＨｚ以上と極めて高くなっており、外部ミキサの必要性はますます高まっている。しかしながら、そのような周波数帯域の信号の周波数解析を行う信号解析装置において可変フィルタ（トラッキングフィルタ）を外部ミキサの前段に設ける場合には、可変フィルタの同調周波数を局発周波数に追従させて可変させるための構成が煩雑になるという問題があった。
【０００８】
また、可変フィルタとして例えばＹＩＧ共振器で構成された高価なフィルタが必要となり、装置全体が高価になるという問題もあった。
【０００９】
本発明は、このような従来の課題を解決するためになされたものであって、外部ミキサの前段に可変フィルタを設けることなく、外部ミキサで発生したイメージレスポンス及びマルチプルレスポンスを簡易に除去することが可能な信号解析装置及び信号解析方法を提供することを目的とする。
【課題を解決するための手段】
【００１０】
上記課題を解決するために、本発明の請求項１の信号解析装置は、局部発振信号を発生する局部発振器と、被測定信号と当該局部発振信号を周波数混合して中間周波数信号に変換するミキサと、を備え、当該中間周波数信号を信号処理することにより、前記被測定信号の周波数成分を表示部に表示させる信号解析装置において、前記被測定信号の周波数を含む所定の同一の測定周波数範囲を掃引測定するため、当該測定周波数範囲と前記中間周波数信号の周波数に基づいて、前記局部発振器へ２つの局部発振周波数掃引範囲を設定するための掃引範囲設定部と、前記２つの局部発振周波数掃引範囲を交互に切り換えて前記局部発振信号を掃引するための制御信号を前記局部発振器に出力する掃引制御部と、一方の局部発振周波数掃引範囲の掃引により得られる第１の測定データ、及び、他方の局部発振周波数掃引範囲の掃引により得られる第２の測定データを測定周波数に対応付けて記憶する記憶部と、前記記憶部に記憶された前記第１の測定データのうち、所定の閾値以上の値の測定データが得られた測定周波数を含む周波数範囲を有効範囲として設定するための有効範囲設定部と、前記記憶部に記憶された前記第１の測定データのうち、前記有効範囲外の測定周波数に対応付けられた測定データを前記表示部に表示させるとともに、前記記憶部に記憶された前記第２の測定データのうち、前記有効範囲内の測定周波数に対応付けられた測定データを前記表示部に表示させる不要信号除去部と、を備えることを特徴とする。
【００１１】
この構成により、所定の閾値以上の値の測定データが得られた有効範囲に基づいて、２回の掃引で得られた測定データの表示を制御するため、外部ミキサの前段に可変フィルタを設けることなく、外部ミキサで発生したイメージレスポンス及びマルチプルレスポンスを簡易に除去することが可能となる。
【００１２】
また、上記の有効範囲は測定周波数を含む所定の周波数幅を有しているため、レベルや周波数が時間的に変動する被測定信号に対しても測定が可能となる。
【００１３】
また、本発明の請求項２の信号解析装置においては、前記掃引制御部は、前記他方の局部発振周波数掃引範囲の掃引において、前記有効範囲に対応する周波数範囲のみで前記局部発振信号を掃引するための制御信号を、前記局部発振器に出力することを特徴とする。
【００１４】
この構成により、２回目の掃引に要する時間を短縮できるため、どちらか一方の極性の掃引のみが行われる通常の掃引と同程度の測定時間で被測定信号のスペクトラムを得ることが可能となる。
【００１５】
また、本発明の請求項３の信号解析方法は、上記の信号解析装置を用いる測定方法であって、上記の信号解析装置を用いる信号解析方法であって、被測定信号の周波数を含む所定の同一の測定周波数範囲を掃引測定するため、当該測定周波数範囲と前記中間周波数信号の周波数に基づいて、前記局部発振器へ２つの局部発振周波数掃引範囲を設定するための掃引範囲設定段階と、前記２つの局部発振周波数掃引範囲を交互に切り換えて前記局部発振信号を掃引するための制御信号を前記局部発振器に出力する掃引段階と、一方の局部発振周波数掃引範囲の掃引により得られる第１の測定データ、及び、他方の局部発振周波数掃引範囲の掃引により得られる第２の測定データを測定周波数に対応付けて記憶する記憶段階と、前記記憶部に記憶された前記第１の測定データのうち、所定の閾値以上の値の測定データが得られた測定周波数を含む周波数範囲を有効範囲として設定するための有効範囲設定段階と、前記記憶部に記憶された前記第１の測定データのうち、前記有効範囲外の測定周波数に対応付けられた測定データを前記表示部に表示させるとともに、前記記憶部に記憶された前記第２の測定データのうち、前記有効範囲内の測定周波数に対応付けられた測定データを前記表示部に表示させる不要信号除去段階と、を含むことを特徴とする。
【発明の効果】
【００１６】
本発明は、外部ミキサの前段に可変フィルタを設けることなく、外部ミキサで発生したイメージレスポンス及びマルチプルレスポンスを簡易に除去することが可能な信号解析装置及び信号解析方法を提供する。
【図面の簡単な説明】
【００１７】
【図１】本発明の実施形態としての信号解析装置の構成を示すブロック図である。
【図２】本発明の実施形態としての信号解析装置の制御部が実行する処理を説明するためのフローチャートである。
【図３】本発明の実施形態としての信号解析装置による２回の掃引で得られたスペクトラムの一例を示すグラフである。
【図４】本発明の実施形態としての信号解析装置を用いて不要信号除去処理を行ったスペクトラムの一例を示すグラフである。
【図５】本発明の実施形態としての信号解析装置の制御部が実行する他の処理を説明するためのフローチャートである。
【発明を実施するための形態】
【００１８】
以下、本発明に係る信号解析装置及び信号解析方法の実施形態について、図面を用いて説明する。
【００１９】
図１に示すように、本発明の実施形態としての信号解析装置１は、外部ミキサ１００が接続されることにより、高周波の被測定信号の周波数成分を測定することができるものであり、局部発振器１１ａ，１１ｂ、スイッチ１６、Ａ／Ｄ変換部１７、表示部１８、操作部１９、及び制御部２０を主に備える。
【００２０】
また、信号解析装置１は、例えば数ＧＨｚ程度の周波数の被測定信号を入力するための端子３１に加えて、数十ＧＨｚ以上の高周波の被測定信号を外部ミキサ１００を介して入力するための端子３２，３３を筐体４０に備える。
【００２１】
外部ミキサ１００は、例えば高調波次数ｎに対応した高調波ミキサ１１０と、バンドパスフィルタ１２０とを有し、筐体４０に設けられた端子３２，３３に接続可能となっている。高調波ミキサ１１０は、筐体４０内の局部発振器１１ａから出力される周波数ＦＬＯの局部発振信号の基本波及び高調波と、端子１３０から入力される周波数ＦＲＦの被測定信号とを乗算して周波数混合するようになっている。
【００２２】
バンドパスフィルタ１２０は、高調波ミキサ１１０で周波数混合された信号の中間周波数ＦＩＦの周波数成分（以下、これを「中間周波数信号」という。）を抽出し、抽出した中間周波数信号を端子３２，３３を介して筐体４０内のミキサ１４ａに出力するようになっている。また、バンドパスフィルタ１２０は、操作部１９を介して制御部２０に与えられた値の中間周波数ＦＩＦの信号を出力できるように構成されていてもよい。
【００２３】
なお、外部ミキサ１００は、高調波ミキサ１１０の代わりに基本波ミキサ（不図示）を有し、筐体４０内の局部発振器１１ａからの局部発振信号を逓倍器（不図示）で周波数逓倍して当該基本波ミキサに出力するようになっていてもよい。
【００２４】
局部発振器１１ａは、例えばＰＬＬ回路（不図示）により構成されており、後述の掃引制御部２２からの制御信号を受けて、局部発振周波数ＦＬＯの局部発振信号を発振して、外部ミキサ１００内の高調波ミキサ１１０へ送るようになっている。
【００２５】
スイッチ１６は、制御部２０により制御され、Ａ／Ｄ変換部１７への入力信号を切り換えるようになっている。
【００２６】
Ａ／Ｄ変換部１７は、スイッチ１６が端子３２，３３側のバンドパスフィルタ１５ａ側に接続された場合に、局部発振器１３ａ、ミキサ１４ａ、及びバンドパスフィルタ１５ａによりダウンコンバートされた外部ミキサ１００からの中間周波数信号を、所定のクロックでサンプリングしてデジタルデータに変換し、後述の記憶部２３に出力するようになっている。
【００２７】
また、Ａ／Ｄ変換部１７は、スイッチ１６が端子３１側のバンドパスフィルタ１５ｃ側に接続された場合に、局部発振器１１ｂ，１３ｂ、ミキサ１２，１４ｂ、及びバンドパスフィルタ１５ｂ，１５ｃによりダウンコンバートされた被測定信号の中間周波数信号を、所定のクロックでサンプリングしてデジタルデータに変換し、表示部１８に出力するようになっている。
【００２８】
制御部２０は、例えばＣＰＵ、ＲＯＭ、ＲＡＭなどを含むマイクロコンピュータで構成され、信号解析装置１を構成する上記各部の動作を制御するとともに、所定のプログラムを実行することにより、掃引範囲設定部２１、掃引制御部２２、記憶部２３、有効範囲設定部２４、及び不要信号除去部２５をソフトウェア的に構成するようになっている。
【００２９】
また、制御部２０は、外部ミキサ１００が端子３２，３３を介して筐体４０に接続されたことを認識できるようになっている。
【００３０】
掃引範囲設定部２１は、被測定信号の周波数ＦＲＦを含む所定の同一の測定周波数範囲を掃引測定するため、操作部１９によって指定された測定周波数範囲、中間周波数信号の周波数ＦＩＦ、高調波次数ｎに基づいて、局部発振周波数ＦＬＯに関する２種類の掃引範囲（以下、これを「局部発振周波数掃引範囲」という。）を掃引制御部２２に設定するようになっている。
【００３１】
具体的には、掃引範囲設定部２１は、局部発振器１１ａから発振される局部発振周波数の局部発振周波数掃引範囲を、下記の式を満たすように決定する。
【００３２】
ＦＲＦ＝ｎ×ＦＬＯ±ＦＩＦ  ・・・（１）
ここで、ｎは、局部発振信号の高調波次数を表している。以下、ＦＲＦ＝ｎ×ＦＬＯ−ＦＩＦに従って行われる掃引を「極性−の掃引」と呼び、ＦＲＦ＝ｎ×ＦＬＯ＋ＦＩＦに従って行われる掃引を「極性＋の掃引」と呼ぶ。
【００３３】
例えば、被測定信号の周波数ＦＲＦが６０ＧＨｚ、測定周波数の掃引範囲が４６ＧＨｚ〜７４ＧＨｚ、中間周波数ＦＩＦが１．８７５ＧＨｚ、高調波次数ｎが８であるとすると、極性＋の掃引における局部発振周波数掃引範囲は、５．９８４ＧＨｚ〜９．４８４ＧＨｚとなる。一方、極性−の掃引における局部発振周波数掃引範囲は、５．５１６ＧＨｚ〜９．０１６ＧＨｚとなる。
【００３４】
掃引制御部２２は、掃引範囲設定部２１により設定された２種類の局部発振周波数掃引範囲を交互に切り換えて局部発振信号を周波数掃引するための制御信号を、局部発振器１１ａに出力するようになっている。
【００３５】
記憶部２３は、一方の局部発振周波数掃引範囲の掃引により得られる第１の測定データ、及び、他方の局部発振周波数掃引範囲の掃引により得られる第２の測定データを測定周波数に対応付けて記憶するようになっている。
【００３６】
具体的には、記憶部２３は、例えば、第１の測定データとしてのスペクトラムを記憶するためのメモリ２３ａと、第２の測定データとしてのスペクトラムを記憶するためのメモリ２３ｂとを有する。
【００３７】
有効範囲設定部２４は、記憶部２３に記憶された第１の測定データのうち、所定の閾値Ａ以上の値の測定データが得られた測定周波数を含む周波数範囲を有効範囲Ｃとして、不要信号除去部２５に設定するようになっている。
【００３８】
ここで、閾値Ａは、例えばノイズフロアよりも１０ｄＢ程度高い値として自動的に設定されるものであってもよく、あるいは、操作部１９により任意の値が設定されるものであってもよい。
【００３９】
有効範囲Ｃの周波数幅は、例えば、第１の測定データの各スペクトラムの中心周波数を基準とした±Ｂの幅である。Ｂの値は、自動的に設定されるものであってもよく、あるいは、操作部１９により任意の値が設定されるものであってもよい。
【００４０】
不要信号除去部２５は、メモリ２３ａに記憶された第１の測定データのうち、有効範囲Ｃ外の測定周波数に対応付けられた測定データを読み込んで、それらを表示部１８に表示させるようになっている。さらに、不要信号除去部２５は、メモリ２３ｂに記憶された第２の測定データのうち、有効範囲Ｃ内の測定周波数に対応付けられた測定データを読み込んで、それらを表示部１８に表示させるようになっている。
【００４１】
なお、掃引制御部２２は、一方の極性の掃引により決定された有効範囲Ｃに対応する周波数範囲のみで他方の極性の掃引を行うための制御信号を、局部発振器１１ａに出力するようになっていてもよい。この場合には、メモリ２３ｂは、第２の測定データとして、有効範囲Ｃの周波数範囲の測定データのみを記憶することとなる。
【００４２】
以下、外部ミキサ１００を使用する場合に生じる不要信号について説明する。外部ミキサ１００においては、局部発振周波数ＦＬＯの全ての高調波と被測定信号が周波数混合され、式（１）の関係が成り立つ全ての信号が発生する。このうち、高調波次数が同じで極性が反転した信号は、イメージレスポンスと呼ばれる。また、所望の高調波次数ではない信号は、マルチプルレスポンスと呼ばれる。
【００４３】
ここでの説明では、局部発振器１１ａの局部発振周波数ＦＬＯが５ＧＨｚ〜１０ＧＨｚの範囲であるとする。高調波ミキサ１１０の内部では、局部発振器１１ａによって掃引された局部発振周波数ＦＬＯの局部発振信号がｎ倍（ｎ＝１，２，３，４，・・・）に逓倍されて発振周波数ＦｎＬＯの信号となった上で周波数ＦＲＦの被測定信号と周波数混合され、バンドパスフィルタ１２０（中間周波数＝１．８７５ＧＨｚ＝ＦＩＦ）で中間周波数ＦＩＦが検出されるようになっている。
【００４４】
被測定信号の周波数ＦＲＦが６０ＧＨｚであり、外部ミキサ１００が局部発振信号の高調波次数ｎ＝８に対応したものである場合を考える。このとき、極性−と極性＋で掃引した場合に表示されるスペクトラムの周波数（測定周波数）は、それぞれ表１，２に示すようになる。
【００４５】
表１，２には１次から９次の高調波に関するスペクトラムの周波数（測定周波数）が記載されている。外部ミキサ１００からの出力周波数には、周波数ＦＲＦ，ＦｎＬＯの和又は差が含まれるが、和ＦＲＦ＋ＦｎＬＯについては不図示のローパスフィルタ（ＬＰＦ）でカットされるとし、差ＦＲＦ−ＦｎＬＯとＦｎＬＯ−ＦＲＦの周波数成分のみを考える。
【００４６】
表１，２に示されているように、ｎ＝８の高調波のＦＲＦ−ＦｎＬＯとＦｎＬＯ−ＦＲＦの周波数成分に関しては、極性−の掃引と極性＋の掃引とで測定周波数がそれぞれ２×ＦＩＦだけずれるようになっている。それゆえに、ｎ＝８以外の高調波次数のＦＲＦ−ＦｎＬＯとＦｎＬＯ−ＦＲＦの周波数成分に関しては、極性−の掃引と極性＋の掃引とで測定周波数が２×ＦＩＦではない周波数でそれぞれずれることになる。このため、ｎ＝８以外の高調波次数については、測定周波数で見たときのスペクトラムの周波数は、極性＋の掃引と極性−の掃引とで一致しない。
【００４７】
実際に、表１に示すように、極性−の掃引で、５３．５４ＧＨｚ、５６．８８ＧＨｚ、６０ＧＨｚ、６３．７５ＧＨｚ、６８．３ＧＨｚ、７２．４７ＧＨｚ、７９．４ＧＨｚの周波数（測定周波数）のスペクトラムが見えることになる。
【００４８】
また、表２に示すように、極性＋の掃引で、４９．７９ＧＨｚ、５３．１３ＧＨｚ、５６．２５ＧＨｚ、６０ＧＨｚ、６４．５５ＧＨｚ、６８．７２ＧＨｚ、７５．６５ＧＨｚの周波数（測定周波数）のスペクトラムが見えることになる。
【００４９】
このように、極性＋の掃引と極性−の掃引で、ｎ＝８に対応する６０ＧＨｚのスペクトラムのみが同一の測定周波数に存在するため、イメージレスポンス及びマルチプルレスポンスを排除して、本来の被測定信号の周波数６０ＧＨｚを抽出できることが分かる。
【表１】
2015187586.tif 000003
【表２】
2015187586.tif 000004
【００５０】
以下、本実施形態の信号解析装置１を用いた信号解析方法について説明する。ここでは、本実施形態の信号解析装置１の制御部２０が図２のフローチャートの不要信号除去プログラムを実行するものとして説明する。
【００５１】
まず、ステップＳ１で操作者により、外部ミキサ１００が端子３２，３３を介して筐体４０に接続されたことが制御部２０に認識される。
【００５２】
次に、ステップＳ２で制御部２０は各種の初期設定を行う。ここでは、例えば操作部１９によって指定された測定周波数範囲、中間周波数信号の周波数ＦＩＦ、高調波次数ｎが、掃引範囲設定部２１に設定される。
【００５３】
次に、ステップＳ３で掃引範囲設定部２１は、式（１）に従って、極性＋の掃引に関する局部発振周波数掃引範囲を掃引制御部２２に設定する（掃引範囲設定段階）。そして、掃引制御部２２の制御により、局部発振器１１ａが設定された局部発振周波数掃引範囲で極性＋の掃引を行う（掃引段階）。
【００５４】
次に、ステップＳ４で記憶部２３は、ステップＳ３の掃引で得られた第１の測定データとしてのスペクトラムを測定周波数に対応付けてメモリ２３ａに記憶する（記憶段階）。ステップＳ４で得られるスペクトラムは例えば図３（ａ）の実線のようになる。なお、被測定信号の周波数は４７ＧＨｚである。
【００５５】
次に、ステップＳ５で掃引範囲設定部２１は、式（１）に従って、極性−の掃引に関する局部発振周波数掃引範囲を掃引制御部２２に設定する（掃引範囲設定段階）。そして、掃引制御部２２の制御により、局部発振器１１ａが設定された局部発振周波数掃引範囲で極性−の掃引を行う（掃引段階）。
【００５６】
次に、ステップＳ６で記憶部２３は、ステップＳ５の掃引で得られた第２の測定データとしてのスペクトラムを測定周波数に対応付けてメモリ２３ｂに記憶する（記憶段階）。ステップＳ６で得られるスペクトラムは例えば図３（ｂ）の実線のようになる。
【００５７】
次に、ステップＳ７で有効範囲設定部２４は、第１の測定データのうち、所定の閾値Ａ以上の値の測定データが得られた測定周波数を含む幅２×Ｂの周波数範囲を、図３（ａ），（ｂ）の破線で示すように有効範囲Ｃとして不要信号除去部２５に設定する（有効範囲設定段階）。図３（ｂ）においては、被測定信号の周波数のみが有効範囲Ｃに含まれていることが分かる。
【００５８】
次に、ステップＳ８で不要信号除去部２５は、メモリ２３ａに記憶された第１の測定データのうち、有効範囲Ｃ外の周波数に対応付けられた測定データを読み込んで、それらを表示部１８に表示させる。さらに、不要信号除去部２５は、メモリ２３ｂに記憶された第２の測定データのうち、図３（ｂ）の破線で示す有効範囲Ｃ内の周波数に対応付けられた測定データを読み込んで、それらを表示部１８に表示させる（不要信号除去段階）。
【００５９】
この結果、図４に示すように、イメージレスポンス及びマルチプルレスポンスが排除され、被測定信号の周波数に対応するスペクトラムのみが得られることとなる。
【００６０】
なお、図２のフローチャートの処理では、極性＋の掃引と極性−の掃引を全て終えてから不要信号の除去が行われているが、例えば図５のフローチャートに示すように、極性＋の掃引を終えた段階で有効範囲Ｃが決定され、当該有効範囲Ｃについてのみ極性−の掃引が行われてもよい。
【００６１】
図５において、ステップＳ１１〜Ｓ１４までの処理は、図２のフローチャートにおけるステップＳ１〜Ｓ４までの処理と同様であるので説明を省略する。
【００６２】
ステップＳ１５で有効範囲設定部２４は、第１の測定データのうち、所定の閾値Ａ以上の値の測定データが得られた測定周波数を含む幅２×Ｂの周波数範囲を、図３（ａ）の破線で示すように有効範囲Ｃとして不要信号除去部２５に設定する（有効範囲設定段階）。
【００６３】
次にステップＳ１６で掃引範囲設定部２１は、ステップＳ１５で得られた有効範囲Ｃを、極性−の掃引に関する局部発振周波数掃引範囲として掃引制御部２２に設定する（掃引範囲設定段階）。そして、掃引制御部２２の制御により、局部発振器１１ａが設定された局部発振周波数掃引範囲で極性−の掃引を行う（掃引段階）。
【００６４】
次に、ステップＳ１７で記憶部２３は、ステップＳ１６の掃引で得られた第２の測定データとしてのスペクトラムを測定周波数に対応付けてメモリ２３ｂに記憶する（記憶段階）。ステップＳ１７で得られるスペクトラムは例えば図３（ｂ）の破線で囲まれた部分のようになる。
【００６５】
次に、ステップＳ１８で不要信号除去部２５は、メモリ２３ａに記憶された第１の測定データのうち、有効範囲Ｃ外の周波数に対応付けられた測定データを読み込んで、それらを表示部１８に表示させる。さらに、不要信号除去部２５は、メモリ２３ｂに記憶された第２の測定データを読み込んで、それらを表示部１８に表示させる（不要信号除去段階）。
【００６６】
なお、図２，５のフローチャートの処理では、極性＋の掃引を行った後に極性−の掃引を行っているが、逆に極性−の掃引を行った後に極性＋の掃引を行ってもよい。
【００６７】
以上説明したように、本実施形態によれば、所定の閾値以上の値の測定データが得られた有効範囲に基づいて、２回の掃引で得られた測定データの表示を制御するため、外部ミキサの前段に可変フィルタを設けることなく、外部ミキサで発生したイメージレスポンス及びマルチプルレスポンスを簡易に除去することが可能となる。
【００６８】
また、本実施形態によれば、極性＋の掃引と極性−の掃引を交互に繰り返すことにより、外部ミキサを使用している場合であっても、どちらか一方の極性の掃引のみが行われる通常の測定と同様の操作及び画面表示で測定することを可能とする。測定結果は、１回の極性＋の掃引と１回の極性−の掃引を一組として、通常の測定における１回の掃引と同等の結果として扱うことができる。
【符号の説明】
【００６９】
１  信号解析装置
１１ａ，１１ｂ，１３ａ，１３ｂ  局部発振器
１２，１４ａ，１４ｂ  ミキサ
１５ａ，１５ｂ，１５ｃ  バンドパスフィルタ
１６  スイッチ
１７  Ａ／Ｄ変換部
１８  表示部
１９  操作部
２０  制御部
２１  掃引範囲設定部
２２  掃引制御部
２３  記憶部
２３ａ，２３ｂ  メモリ
２４  有効範囲設定部
２５  不要信号除去部
３１，３２，３３  端子
４０  筐体
１００  外部ミキサ
１１０  高調波ミキサ
１２０  バンドパスフィルタ
１３０  端子
【図１】
2015187586.tif 000005
【図２】
2015187586.tif 000006
【図３】
2015187586.tif 000007
【図４】
2015187586.tif 000008
【図５】
2015187586.tif 000009